(57)【要約】 信号ケーブル７と、板状部材１５と、電気基板１６と、信号ケーブル７において操作部３内に位置する複数の折り返し部７ｐを有してループ状に変形された余剰部７ｙが開口２０ｈａ、２０ｈｂを貫通して内部に挿通された状態において、余剰部７ｙが挿入方向Ｓの前後に移動自在となるよう板状部材１５に対して信号ケーブル７を近接させて固定する固定部材２０と、を具備し、固定部材２０は、底面と、底面側に余剰部７ｙを押し付ける天面と、側面と、内部への余剰部７ｙの嵌入口と、が形成されたコの字状に形成されており、内部に嵌入された余剰部７ｙの抜け止めが形成されている。
2013114661.tif 000002
【特許請求の範囲】
【請求項１】
被検体内に挿入される挿入部と、該挿入部の挿入方向の後端に接続された操作部とを具備する内視鏡であって、
前記挿入部の前記挿入方向における先端側内に設けられた前記被検体内を撮像する撮像素子から前記操作部内まで延出された信号ケーブルと、
前記操作部内に固定された、金属から構成された板状部材と、
前記板状部材に固定された、前記信号ケーブルの延出端が電気的に接続された電気基板と、
前記信号ケーブルにおいて前記操作部内に位置する複数の折り返し部を有してループ状に変形された余剰部が前記挿入方向前方及び後方の開口を貫通して内部に挿通された状態において、前記余剰部が前記挿入方向の前後に移動自在となるよう前記板状部材に対して前記信号ケーブルを近接させて固定する、一部に前記板状部材への固定部が形成された固定部材と、
を具備し、
前記固定部材は、
前記板状部材に当接するとともに前記固定部を有する底面と、
前記底面に対向するとともに該底面側に前記余剰部を押し付ける天面と、
前記底面と前記天面とを繋ぐ側面と、
前記側面に対向する位置に開口された、内部への前記信号ケーブルの前記余剰部の嵌入口と、
が形成されたコの字状に形成されており、前記嵌入口付近の前記底面に、内部に嵌入された前記余剰部の抜け止めが形成されていることを特徴とする内視鏡。
【請求項２】
前記抜け止めは、前記天面側に凸状を有する板バネから構成されていることを特徴とする請求項１に記載の内視鏡。
【請求項３】
前記固定部は、前記底面の前記挿入方向の後端に設けられており、
前記底面における前記固定部の１点により、前記固定部材は前記板状部材に固定されていることを特徴とする請求項１または２に記載の内視鏡。
【請求項４】
前記操作部から延出する、延出端に外部装置へ接続されるコネクタが形成されたユニバーサルコードをさらに具備し、
前記操作部内の前記電気基板から、前記ユニバーサルコードを介して前記コネクタまで延出されるとともに前記信号ケーブルを介して前記電気基板まで伝送された前記撮像素子からの信号を前記コネクタまで伝送する、前記信号ケーブルとは異なる他の信号ケーブルを有していることを特徴とする請求項１〜３のいずれか１項に記載の内視鏡。
【発明の詳細な説明】
【技術分野】
【０００１】
本発明は、被検体内に挿入される挿入部と、該挿入部の挿入方向の後端に接続された操作部とを具備する内視鏡に関する。
【背景技術】
【０００２】
近年、被検体内に挿入される内視鏡は、医療分野及び工業用分野において広く利用されている。内視鏡は、細長い挿入部を被検体内に挿入することによって、被検体内を観察することができる。【０００３】
また、内視鏡の挿入部の挿入方向先端側（以下、単に先端側と称す）に設けられた先端部内には、被検体内を撮像する、ＣＣＤやＣＭＯＳ等の固体撮像素子（以下、単に撮像素子と称す）が設けられている。【０００４】
ここで、撮像素子によって撮像された被検体の像は、内視鏡の挿入部の挿入方向の後端（以下、単に後端と称す）に接続された操作部から延出するユニバーサルコードの延出端に位置するコネクタを、外部装置に接続することにより、外部装置のモニタ等に表示される。【０００５】
よって、挿入部、操作部、ユニバーサルコード、コネクタ内には、撮像素子からコネクタまで撮像素子からの映像信号を伝送する信号ケーブルが延出されて挿通されている。【０００６】
また、日本国第特開平８−２１１３０７号公報には、コネクタ内に位置する信号ケーブルに余剰部を設けることによって、信号ケーブルの修理性を向上させる構成が開示されている。【０００７】
さらに、日本国第特開平８−２１１３０７号公報には、信号ケーブルを、コネクタ内において移動可能とすることにより、挿入部の可撓や挿入部に設けられた湾曲部の湾曲に伴って信号ケーブルに付与される引っ張り力によって信号ケーブルが損傷してしまうことを防ぐ構成が開示されている。【０００８】
しかしながら、日本国第特開平８−２１１３０７号公報に開示された構成では、信号ケーブルは、撮像素子からコネクタまで延出されるよう非常に長く形成されていることから、撮像素子から伝送された映像信号が劣化してしまうといった問題があった。【０００９】
このような問題に鑑み、操作部に映像信号を増幅する電気基板を設け、該電気基板に対し、撮像素子から延出された映像信号を伝送する第１の信号ケーブルの延出端を電気的に接続し、電気基板からコネクタまで延出された第２の信号ケーブルを用いて電気基板によって増幅された映像信号をコネクタまで伝送するといったように信号ケーブルの中途位置を分断することにより、映像信号の劣化を防ぐ構成も周知である。【００１０】
また、このような構成においても、上述した日本国第特開平８−２１１３０７号公報同様、第１の信号ケーブルの修理性を向上させるとともに、第１の信号ケーブルが操作部内において移動可能となるよう、第１の信号ケーブルは、操作部内に余剰部を有する必要がある。【００１１】
ここで、信号ケーブルの余剰部が長くなってしまうと、信号ケーブルから放射される放射ノイズが大きくなってしまう。このことから、信号ケーブルは、余剰部を、操作部内に設けられた操作部内の部品を固定する金属から構成された板状部材に対して近接して配置することにより、信号ケーブルの放射ノイズを板状部材に逃がす構成も周知である。【００１２】
具体的には、信号ケーブルの余剰部を板状部材に対して、余剰部が移動可能となるよう、例えば板状部材に向けて開口を有する断面が下向きコの字型の固定部材を用いて、余剰部を被覆して固定する構成も周知である。【００１３】
しかしながら、この固定部材では、板状部材に対して、該板状部材の上方から固定部材を操作部内に嵌入させて信号ケーブルの余剰部を固定する構成であることから、操作部内に固定部材を嵌入させる際、操作部内において信号ケーブルの余剰部よりも上方には、既知のライトガイドや送気送水チューブ等が位置しているばかりか他の部材も位置しており、操作部内は配置物の充填率が高いことから、これらの配置物が邪魔となり固定部材を嵌入させ難く、固定作業が繁雑であるといった問題があった。【００１４】
また、嵌入の際、固定部材の開口端が不意にライトガイドや送気送水チューブ、さらには信号ケーブルの余剰部に接触してしまうと、これらに損傷を与えてしまう可能性があるといった問題もあった。【００１５】
また、信号ケーブルの余剰部を板状部材に押さえつけた状態で固定部材を操作部内に嵌入し、余剰部を固定部材によって被覆した状態で固定部材を板状部材に固定する手法では、余剰部が板状部材から浮き上がってしまい、余剰部を被覆する固定部材を板状部材に固定し難いといった問題があった。【００１６】
さらには、固定部材を用いた固定後、信号ケーブルの余剰部が意図しない方向に動いてしまうと、信号ケーブルの余剰部が固定部材や他の操作部内の配置物に接触し、損傷してしまう可能性があった。【００１７】
本発明は、以上の上記問題点に鑑みなされたものであり、操作部内において、信号ケーブルの余剰部の移動方向を規定するとともに余剰部の移動を阻害することなく、また容易かつ他の部材を損傷させることなく、余剰部を、固定部材を用いて板状部材に固定することができる構成を有する内視鏡を提供することを目的とする。
【発明の開示】
【課題を解決するための手段】
【００１８】
本発明の一態様による内視鏡は、被検体内に挿入される挿入部と、該挿入部の挿入方向の後端に接続された操作部とを具備する内視鏡であって、前記挿入部の前記挿入方向における先端側内に設けられた前記被検体内を撮像する撮像素子から前記操作部内まで延出された信号ケーブルと、前記操作部内に固定された、金属から構成された板状部材と、前記板状部材に固定された、前記信号ケーブルの延出端が電気的に接続された電気基板と、前記信号ケーブルにおいて前記操作部内に位置する複数の折り返し部を有してループ状に変形された余剰部が前記挿入方向前方及び後方の開口を貫通して内部に挿通された状態において、前記余剰部が前記挿入方向の前後に移動自在となるよう前記板状部材に対して前記信号ケーブルを近接させて固定する、一部に前記板状部材への固定部が形成された固定部材と、を具備し、前記固定部材は、前記板状部材に当接するとともに前記固定部を有する底面と、前記底面に対向するとともに該底面側に前記余剰部を押し付ける天面と、前記底面と前記天面とを繋ぐ側面部と、前記側面部に対向する位置に開口された、内部への前記信号ケーブルの前記余剰部の嵌入口と、が形成されたコの字状に形成されており、前記嵌入口付近の前記底面に、内部に嵌入された前記余剰部の抜け止めが形成されている。
【図面の簡単な説明】
【００１９】
【図１】本実施の形態の内視鏡を示す斜視図
【図２】図１の内視鏡の操作部を、把持部の外装を外した状態において、図１中のII方向からみた平面図
【図３】図２の固定部材を、板状部材の一部及び余剰部の一部とともに拡大して示す平面図
【図４】図３の固定部材を、信号ケーブルの余剰部とともに図３中のIVの方向からみた側面図
【図５】図３の固定部材の斜視図
【図６】図５の固定部材を底面側からみた斜視図
【図７】付記の内視鏡において、外部装置に接続される内視鏡コネクタを示す部分斜視図
【図８】図７中のVIII-VIII線に沿う内視鏡コネクタの断面図
【図９】図７の内視鏡コネクタから第２のケースを除去して、信号ケーブルから第２の電気基板が取り外された状態で示す斜視図
【図１０】図９の第２の電気基板に信号ケーブルを電気的に接続し、第２の電気基板を第１のケース内に収納した状態を示す斜視図
【図１１】図１０の内視鏡コネクタから第１のケースを取り除いた状態を示す斜視図
【図１２】図１１の嵌入部を、図１１中のXII方向から見た部分斜視図
【図１３】図８の接点ピンの外周に被覆されるＦＰＣを展開して示す平面図
【図１４】図１３のＦＰＣの凸部を図８の第１の電気基板に当接させた状態を示す斜視図
【発明を実施するための最良の形態】
【００２０】
以下、図面を参照して本発明の実施の形態を説明する。  
図１は、本実施の形態の内視鏡を示す斜視図、図２は、図１の内視鏡の操作部を、把持部の外装を外した状態において、図１中のII方向からみた平面図、図３は、図２の固定部材を、板状部材の一部及び余剰部の一部とともに拡大して示す平面図である。【００２１】
また、図４は、図３の固定部材を、信号ケーブルの余剰部とともに図３中のIVの方向からみた側面図、図５は、図３の固定部材の斜視図、図６は、図５の固定部材を底面側からみた斜視図である。【００２２】
図１に示すように、内視鏡１は、被検体内に挿入される挿入部２と、該挿入部２の後端に接続された操作部３と、該操作部３から延出されたユニバーサルコード４と、該ユニバーサルコード４の延出端に設けられたコネクタ５とを具備して主要部が構成されている。【００２３】
操作部３は、操作者によって把持される把持部３ｈを有するとともに、図２に示すように、挿入方向Ｓの先端（以下、単に先端と称す）内に、挿入部２の後端が接続される筒状部材１３が設けられている。【００２４】
さらに、操作部３内には、筒状部材１３に固定された金属から構成された板状部材１５が固定されている。板状部材１５は、操作部３内に設けられる各種部品が固定されるものである。【００２５】
尚、コネクタ５が、外部装置、例えば既知の図示しないビデオプロセッサまたは光源装置に接続自在なことにより、内視鏡１は、外部装置に接続自在となっている。【００２６】
また、挿入部２の先端側内に、被検体内を撮像する撮像素子１０が設けられており、撮像素子１０からは、図２に示すように、操作部３内まで撮像素子１０によって撮像された映像信号を伝送する信号ケーブル７が延出されている。【００２７】
信号ケーブル７の延出端には、図示しないコネクタが設けられており、該コネクタが、板状部材１５に固定された電気基板１６の後端に電気的に接続されている。【００２８】
電気基板１６は、信号ケーブル７によって伝送されてきた映像信号を増幅するものである。また、電気基板１６の後端からは、ユニバーサルコード４を介してコネクタ５まで、電気基板１６によって増幅された映像信号をコネクタ５まで伝送する信号ケーブル７とは異なる他の信号ケーブル８が延出されている。即ち、信号ケーブル７は、電気基板１６を中継して、信号ケーブル８に電気的に接続されている。【００２９】
また、図２に示すように、操作部３内に、信号ケーブル７の余剰部７ｙが位置している。尚、操作部３内において信号ケーブル７に余剰部７ｙが設けられていることにより、信号ケーブル７の修理性が向上されるとともに、余剰部７ｙが操作部３内において移動可能となる。このことにより、挿入部２の可撓や挿入部２の先端側に設けられた図示しない湾曲部の湾曲に伴い、先端が撮像素子１０に接続され後端が電気基板１６に接続された信号ケーブル７に挿入方向Ｓにおける引っ張り力が付与されたとしても信号ケーブル７が破損してしまうことを防止することができる。【００３０】
余剰部７ｙは、複数の、例えば３つの折り返し部７ｐを有してループ状に変形され、具体的には、挿入方向Ｓの前方側に１つの折り返し部７ｐを有するとともに、挿入方向Ｓの後方側に２つの折り返し部７ｐを有するようループ状に変形され、固定部材２０の先端の開口２０ｈａ及び後端の開口２０ｈｂを貫通して図２、図４に示すように固定部材２０内に挿通された状態において、余剰部７ｙが挿入方向Ｓのみに前後に移動自在となるよう、固定部材２０により、板状部材１５に近接して板状部材１５に固定されている。【００３１】
尚、信号ケーブル７の余剰部７ｙを板状部材１５に近接して固定するのは、余剰部７ｙの放射ノイズを金属から構成された板状部材１５に逃がすためである。【００３２】
また、折り返し部７ｐは、信号ケーブル７が、挿入方向Ｓにおいて１８０°反対側に折り返された部位である。さらに、折り返し部７ｐの個数は３つに限定されず、２つであっても４つ以上であっても構わない。即ち、２つまたは４つ以上の折り返し部７ｐを有して、余剰部７ｙは、ループ状に変形されていても構わない。【００３３】
尚、図２においては、固定部材２０を用いて余剰部７ｙを固定した状態では、複数の折り返し部７ｐは固定部材２０外に位置しているが、固定部材２０内に位置していても良い。【００３４】
また、複数の折り返し部７ｐは、開口２０ｈａ、２０ｈｂを介して、余剰部７ｙの挿入方向Ｓの前後への移動に伴い、固定部材２０内に対して出入り自由となっている。【００３５】
固定部材２０は、図３〜図６に示すように、先端の開口２０ｈａと、後端の開口２０ｈｂと、嵌入口２０ｈｃとを有する形状に、底面２０ｋと、天面２０ｔと、底面２０ｋと天面２０ｔとを繋ぐ側面２０ｓとが一体となるようコの字状に折り曲げられて、挿入方向Ｓに沿って細長かつ挿入方向Ｓに直交する方向（以下、直交方向と称す）Ｗに所定の幅を有して形成されている。【００３６】
尚、底面２０ｋと天面２０ｔとの間の距離、即ち、側面２０ｓの起立高さＨは、図４に示すように、固定部材２０内に嵌入される余剰部７ｙの径よりも若干大きい高さに形成されている。即ち、固定部材２０内において、側面２０ｓの高さ方向に余剰部７ｙが重なって配置されることはない。【００３７】
底面２０ｋは、固定部材２０が板状部材１５に固定された際、板状部材１５に当接する部位であり、直交方向Ｗに所定の幅を有するとともに挿入方向Ｓに沿って細長に形成されている。【００３８】
また、底面２０ｋの後端には、図３、図５、図６に示すように、固定部材２０を板状部材１５に固定する固定部２０ｋｂが形成されている。固定部２０ｋｂには、貫通孔２０ｋｈが形成されている。貫通孔２０ｋｈに嵌入されるネジ２２が、板状部材１５に形成された図示しないネジ孔に螺合されることにより、固定部材２０は板状部材１５に固定される。即ち、固定部材２０は、後端の固定部２０ｋｂの１点のみにより、板状部材１５に固定されている。【００３９】
これは、操作部３内には、複数の配置物が高密度に配置されていることから、固定部材２０に複数の固定部２０ｋｂを設けると板状部材１５への固定部材２０の固定作業が難しくなるためである。よって、このことを無視すれば、複数の固定部２０ｋｂを用いて固定部材２０は、板状部材１５に固定されていても構わない。【００４０】
また、図４〜図６に示すように、底面２０ｋにおける嵌入口２０ｈｃ付近の位置に、固定部材２０内に挿通された余剰部７ｙが、嵌入口２０ｈｃから直交方向Ｗにおいて飛び出てしまうことを防ぐ抜け止め２１が挿入方向Ｓに沿って形成されている。尚、抜け止め２１は、天面２０ｔにおける嵌入口２０ｈｃ付近の位置に形成されていても構わない。【００４１】
抜け止め２１は、天面２０ｔ側に凸状を有する板バネから構成されている。尚、抜け止め部２１及び側面２０ｓ、底面２０ｋ、天面２０ｔにより、余剰部７ｙは、開口２０ｈａ、２０ｈｂを介して挿入方向Ｓの前後のみに移動自在となっている。【００４２】
天面２０ｔは、底面２０ｋに対向して位置しているとともに側面２０ｓを介して底面２０ｋと連続的に形成されており、底面２０ｋ同様、直交方向Ｗに所定の幅を有するとともに挿入方向Ｓに沿って細長に形成されている。【００４３】
尚、操作部３内において、天面２０ｔの底面２０ｋとは反対側の上面には、図示しない送気送水チューブやライトガイド等の他の部材が配置されており、他の部材によって、天面２０ｔが底面２０ｋ側に押圧されることにより、固定部材２０内に挿通された余剰部７ｙを、底面２０ｋ側に押し付ける機能も有している。即ち、天面２０ｔは、余剰部７ｙが、固定部材２０の内部から側面２０ｓの起立方向Ｈに飛び出てしまうことを規制している。【００４４】
尚、図４に示すように、天面２０ｔは、底面２０ｋに対して隙間なく余剰部７ｙを押し付けてはいないことから、即ち、間隙を有して底面２０ｋに押し付けていることから、固定部材２０内において余剰部７ｙは挿入方向Ｓの前後に移動可能となっている。【００４５】
また、天面２０ｔの上面には、上述したように他の部材が配置されることから、天面２０ｔに接触する他の部材を、天面２０ｔの縁部によって損傷してしまうことがないよう、図３、図５に示すように、天面２０ｔの先端、後端及び嵌入口２０ｈｃ側の端部に、該端部を１８０°折り返した折り返し部２０ｔｓ、２０ｔｋ、２０ｔｃがそれぞれ形成されている。【００４６】
嵌入口２０ｈｃは、側面２０ｓに対向する位置において挿入方向Ｓに沿って開口されており、複数の折り返し部７ｐを有してループ状に変形された余剰部７ｙを、固定部材２０内に、図３に示すように直交方向ＷにおいてＷ１方向から、即ち、電気基板１６側からスライド嵌入させるための開口となっている。【００４７】
次に、板状部材１５への余剰部７ｙの固定方法について説明する。  
先ず、作業者は、信号ケーブル７の延出端に設けられたコネクタを、電気基板１６の後端に電気的に接続する。  
その後、操作部３内に位置する信号ケーブル７の余剰部７ｙを、例えば３つの折り返し部７ｐを有するようにループ状に変形させ、変形後の余剰部７ｙを、固定部材２０内にスライドさせて嵌入することでケーブル７と固定部材２０とで一つのユニットとし、このユニットを操作部３に直交方向Ｗから他部材と板状部材１５との間に嵌入させる。【００４８】
次いで、作業者は、直交方向Ｗにおける電気基板１６の隣の位置に、固定部材２０の底面２０ｋを板状部材１５に当接させる。【００４９】
この際、既に操作部３内に送気送水チューブやライトガイド等の他の部材が配置されていたとしても、操作部３内への固定部材２０の嵌入においては、これらの他の部材には、底面２０ｋまたは側面２０ｓが当接するのみであることから、即ち面部が当接するのみであることから固定部材２０の嵌入に伴い、他の部材を損傷させてしまうことがない。【００５０】
また、この嵌入後の状態においては、余剰部７ｙの信号ケーブル７は、固定部材２０の先端の開口２０ｈａ及び後端の開口２０ｈを貫通する。また、余剰部７ｙの複数の折り返し部７ｐは、固定部材２０の外に位置している。【００５１】
さらに、嵌入後は、余剰部７ｙは、底面２０ｋに形成された抜け止め２１により、嵌入口２０ｈｃから飛び出てしまうことがない他、抜け止め２１及び側面２０ｓ、底面２０ｋ、天面２０ｔにより、開口２０ｈａ、２０ｈｂを介して挿入方向Ｓの前後のみに移動自在なっている。【００５２】
最後に、固定部材２０の底面２０ｋに設けられた固定部２０ｋｂの貫通孔２０ｋｈを介して、ネジ２２により固定部２０ｋｂが板状部材１５に固定されることにより、底面２０ｋが板状部材１５に１点のみで固定される。即ち、余剰部７ｙが板状部材１５に近接した状態において、余剰部７ｙは、板状部材１５に固定部材２０を介して固定される。【００５３】
尚、組み立て当初に行なっている、電気基板１６への信号ケーブル７の延出端に設けられたコネクタの電気的接続は、板状部材１５に固定部材２０を固定した後であっても構わない。【００５４】
また、上述した組み立て手順とは異なり、先に固定部材２０を操作部３内に嵌入させてケーブル７を固定部材２０にスライド嵌入させ、２個のネジで固定するようにしても構わない。【００５５】
このように、本実施の形態においては、操作部３内において、信号ケーブル７の余剰部７ｙは、複数の折り返し部７ｐを有してループ状に変形された状態で、コの字状の固定部材２０の嵌入口２０ｈｃから固定部材２０内に嵌入され、固定部材２０の底面２０ｋの固定部２０ｋｂが板状部材１５にネジ２２で固定されていると示した。【００５６】
よって、信号ケーブル７の余剰部７ｙは、固定部材２０の底面２０ｋの抜け止め２１によって嵌入口２０ｈｃからの飛び出しが規制され、抜け止め２１及び側面２０ｓ、底面２０ｋ、天面２０ｔによって、開口２０ｈａ、２０ｈｂを介して挿入方向Ｓの前後のみ移動自在な状態で、板状部材１５に対して近接して固定されていると示した。【００５７】
このことによれば、既に操作部３内に送気送水チューブやライトガイド等の他の部材が配置されていたとしても、操作部３内への固定部材２０の嵌入においては、これらの他の部材には、従来のように、固定部材２０の開口端のエッジ部が接触することなく、底面２０ｋまたは側面２０ｓが当接するのみであることから、固定部材２０の嵌入に伴い、他の部材を損傷させてしまうことがない。【００５８】
また、固定部材２０に余剰部７ｙを嵌入させる際、十分なスペースで作業することが可能であり、固定部材２０と余剰部７ｙを一つのユニットとすることで操作部３への組み付け作業が容易となる。【００５９】
さらに直交方向Ｗからスライドして固定部材２０を操作部３に嵌入することができるので、配置物が高密度に配置されている操作部３であっても、他の配置物を傷つけることなく、板状部材１５と他部材との間にできた隙間に固定部材２０を配置可能である。【００６０】
さらに、先に固定部材２０を操作部３内に嵌入させてケーブル７を固定部材２０にスライド嵌入させた後にネジで固定するようにする場合は、固定部材２０内に余剰部７ｙを嵌入させる際、余剰部７ｙを、固定部材２０と電気基板１６との間の狭い間隙から、嵌入口２０ｈｃを介してスライド移動させることにより固定部材２０内へ嵌入させることができる。このことから、操作部３内において配置物が高密度に配置されていたとしても、余剰部７ｙが操作部３内の他の部材と接触することなく、少ない作業工程によって作業性良く、容易に固定部材２０内へ余剰部７ｙを嵌入させることができる。【００６１】
また、従来のように、余剰部７ｙを板状部材１５に押さえ付けながら余剰部７ｙに被せた固定部材２０を板状部材１５に対して固定する必要が無いことから、作業性良く、容易に板状部材１５に対して余剰部７ｙの固定を、固定部材２０を用いて行うことができる。【００６２】
さらに、固定部材２０の天面２０ｔによって、固定部材２０内の余剰部７ｙは、底面２０ｋ側に押圧されることから、板状部材１５に対して出来るだけ近付けて余剰部７ｙを固定することができる。よって、余剰部７ｙの放射ノイズを効率良く板状部材１５に逃がすことができる他、配置物が高密度に配置された操作部３内においても、余剰部７ｙのループ形状を安定して保持することができる。【００６３】
また、固定部材２０内の余剰部７ｙは、底面２０ｋの抜け止め２１により、嵌入口２０ｈｃから飛び出してしまうことがない他、抜け止め２１及び側面２０ｓ、底面２０ｋ、天面２０ｔにより挿入方向Ｓの前後のみ開口２０ｈａ、２０ｈｂを介して自由に移動可能となっている、即ち余剰部７ｙの移動方向が規定されている。このことから、配置物が高密度で配置されている操作部３内において、余剰部７ｙが意図しない方向に動いてしまい、余剰部７ｙによって、操作部３内の他の部材を損傷させてしまうことがない。【００６４】
また、固定部材２０の天面２０ｔは、図４に示すように、余剰部７ｙを隙間無く底面２０ｋに押し付けてはいないことから、余剰部７ｙは自由に移動することができる。【００６５】
以上から、操作部３内において、信号ケーブル７の余剰部７ｙの移動方向を規定するとともに余剰部７ｙの移動を阻害することなく、また容易かつ他の部材を損傷させることなく、余剰部７ｙを、固定部材２０を用いて板状部材１５に固定することができる構成を有する内視鏡１を提供することができる。【００６６】
上述した固定部材は、以下のような構成をとることも可能である。【００６７】
例えばボビンのような円筒状の部材に信号ケーブルの余剰部７ｙを巻きつけ、これを板状部材１５に回転可能な状態で固定する。ボビンを回転可能な状態とすることで、信号ケーブル７に引っ張り力が加わっても、該信号ケーブル７に傷が付くことを防ぐことが可能となる。また、このような構成で、上述したボビンにフェライトコアを組み合わせること、もしくはボビン自体にフェライトコア機能を持たせることで、信号ケーブル７の放射ノイズを軽減することが可能となる。【００６８】
［付記］
以上詳述した如く、本発明の実施形態によれば、以下の如き構成を得ることができる。即ち、
（１）外部装置に接続される内視鏡コネクタを有する内視鏡であって、
前記内視鏡コネクタは、
第１のケースと、
前記第１のケースの延在方向の一端側に着脱自在な、外周面に電気接点が形成されるとともに前記外部装置に嵌入自在な嵌入部と、
前記第１のケースの前記延在方向の他端側に着脱自在な第２のケースと、
前記嵌入部における前記第１のケース側の面に設けられた、前記電気接点に電気的に接続された第１の電気基板と、
前記第１のケース及び第２のケース内において、前記延在方向に沿って設けられるとともに、撮像素子から延出された撮像ケーブルが前記延在方向の他端に接続された、前記第１のケースから前記第２のケースが脱却された状態において前記延在方向の一端側半部が前記第１のケースの前記延在方向の他端から前記第１のケース内に嵌入された第２の電気基板と、
少なくとも前記第１のケース内において前記第２の電気基板の前記延在方向に沿った側面に対向して位置する前記延在方向に沿った第１の延在部位及び第２の延在部位と、前記第１の延在部位から前記第２の延在部位へと前記延在方向先端側にて１８０°折り返す折り返し部とを有し、前記第１のケース内において前記第１の延在部位から延出した一端が前記第１の電気基板に電気的に接続されているとともに前記第２の延在部位に設けられた他端が前記第２の電気基板の前記延在方向の一端に電気的に接続された信号ケーブルと、
を具備していることを特徴とする内視鏡。【００６９】
（２）前記折り返し部は、前記第２のケース内に位置しており、
前記第１のケースから前記第２のケースを脱却した際、前記折り返し部は、外部に露出することを特徴とする付記１に記載の内視鏡。【００７０】
（３）前記第２の電気基板を覆う金属シールド部材と、
前記信号ケーブルにおける前記第２の延在部位の前記延在方向に沿った形状を維持して保持するクリップ部を有する、前記金属シールド部材に対し前記クリップ部とともに固定される保持部材と、
をさらに具備することを特徴とする付記１または２に記載の内視鏡。【００７１】
（４）前記信号ケーブルにおける前記第１の延在部位は、前記第２の延在部位及び前記折り返し部よりも硬く形成されていることを特徴とする付記１〜３のいずれか１項に記載の内視鏡。【００７２】
（５）前記第１のケースの前記延在方向の一端内において、前記延在方向における前記第１の電気基板と前記第２の電気基板との間に板金部材が固定されており、
前記板金部材に、前記信号ケーブルにおける前記第１の延在部位の前記延在方向に沿った形状を維持するとともに前記第１の延在部位の位置決めを行う切り欠きと、該切り欠きからの前記第１の延在部位の抜けを防止する抜け止めとが設けられていることを特徴とする付記１〜４のいずれか１項に記載の内視鏡。【００７３】
ところで、近年、内視鏡は、医療分野及び工業用分野において広く利用されている。内視鏡は、細長い挿入部を被検体内に挿入することによって、被検体内を観察することができる。【００７４】
また、内視鏡の挿入部の挿入方向先端側に設けられた先端部内には、被検体内を撮像する、ＣＣＤやＣＭＯＳ等の固体撮像素子（以下、単に撮像素子と称す）が設けられている。【００７５】
ここで、撮像素子によって撮像された被検体の像は、内視鏡の操作部から延出するユニバーサルコードの延出端に位置する内視鏡コネクタを、ビデオプロセッサまたは光源装置等の外部装置に接続することにより、外部装置のモニタ等に表示される。【００７６】
よって、挿入部、操作部、ユニバーサルコード、内視鏡コネクタ内には、撮像素子から内視鏡コネクタまで撮像素子からの映像信号を伝送する撮像ケーブルが延出されて挿通されている。【００７７】
また、特開平８−２１１３０７号公報には、内視鏡コネクタ内に位置するとともに後端が電気接点となる接点ピンに電気的に接続された撮像ケーブルの余剰部をシールド筒の外周に巻き付けて保持する構成が開示されている。【００７８】
しかしながら、特開平８−２１１３０７号公報に開示された構成においては、内視鏡コネクタ内において、撮像ケーブルを接点ピンに電気的に接続する構成であることから、接点ピンへの撮像ケーブルの接続がし難いといった問題があった。【００７９】
また、撮像ケーブルに余剰部を設けずに、内視鏡コネクタ内に、電気接点に電気的に接続された第１の電気基板と、撮像ケーブルが電気的に接続される第２の電気基板とを設け、２つの電気基板間を、余剰部を有する信号ケーブルで電気的に接続する構成も周知ではある。【００８０】
しかしながら、この構成においては、信号ケーブルを内視鏡コネクタ内の作業者からは見えない狭いスペース内に収納しなければならないため、狭いスペースに対して無理に信号ケーブルを収納してしまったり、見えない位置に信号ケーブルを無理に押し込んでしまったりすると信号ケーブルが破断してしまう可能性がある他、作業者は信号ケーブルが設計通りの形状に収納されているかを確認することができないといった問題があった。【００８１】
本付記の目的は上記問題点に鑑みてなされたものであり、簡単に撮像ケーブルを第２の電気基板に接続することができるとともに、第２の電気基板と第１の電気基板とを電気的に接続する信号ケーブルの形状を安定して内視鏡コネクタ内に収納することができる構成を具備する内視鏡を提供することにある。【００８２】
以下、具体的な構成を、図７〜図１２を用いて説明する。  
図７は、本付記の内視鏡において、外部装置に接続される内視鏡コネクタを示す部分斜視図、図８は、図７中のVIII-VIII線に沿う内視鏡コネクタの断面図、図９は、図７の内視鏡コネクタから第２のケースを除去して、信号ケーブルから第２の電気基板が取り外された状態で示す斜視図である。【００８３】
また、図１０は、図９の第２の電気基板に信号ケーブルを電気的に接続し、第２の電気基板を第１のケース内に収納した状態を示す斜視図、図１１は、図１０の内視鏡コネクタから第１のケースを取り除いた状態を示す斜視図、図１２は、図１１の嵌入部を、図１１中のXII方向から見た部分斜視図である。【００８４】
尚、以下、図７〜図１２において、内視鏡コネクタ５は、ユニバーサルコード４側となる延在方向Ｅの他端側を延在方向Ｅの先端側（以下、単に先端側と称す）と称し、ユニバーサルコード４とは反対側となる外部装置に接続される側の延在方向Ｅの一端側を延在方向Ｅの後端側（以下、単に後端側と称す）と称して説明する。よって、延在方向Ｅの一端は後端と称し、延在方向Ｅの他端は先端と称す。【００８５】
図７に示すように、ビデオプロセッサや光源装置等の図示しない外部装置に接続される内視鏡コネクタ５は、第１のケース３１と、該第１のケース３１の後端側に着脱自在な嵌入部３３と、嵌入部３３の先端側に着脱自在な第２のケース３２とを有している。【００８６】
尚、第２のケース３２の先端には、折れ止め７１が接続されており、折れ止め７１を介して延在方向Ｅの前方（以下、単に前方と称す）にユニバーサルコード４が延出されている。【００８７】
図７、図８に示すように、嵌入部３３は、大径の外周面３３ｇａと、該外周面３３ｇａよりも後端側に位置する外周面３３ｇよりも小径の外周面３３ｇｂとを有しており、外周面３３ｇａには、複数の電気接点４１が露出されており、外周面３３ｇｂには、複数の電気接点４０が露出されている。【００８８】
尚、電気接点４０、４１は、嵌入部３３が外部装置に接続された際、外部装置の電気接点と電気的に接続されることにより、内視鏡が外部装置と電気信号の送受を行う際に用いられる。【００８９】
また、図８に示すように、嵌入部３３の第１のケース３１側の面となる先端面に、第１の電気基板５６が固定されている。第１の電気基板５６には、延在方向Ｅに沿って先端側が第１の電気基板５６を貫通する複数の接点ピン５７が半田付け等によって固定されており、接点ピン５７の延在方向Ｅの後端（以下、単に後端と称す）は、電気接点４０、４１（図８では電気接点４１は不図示）として外表面に露出している。【００９０】
また、第１の電気基板５６の先端面には、第１のケース３１内の後端内において、信号ケーブル５９の一端５９ａｃが電気的に接続自在な電気コネクタ５８が設けられている。【００９１】
さらに、図８に示すように、第１のケース３１及び第２のケース３２内においては、延在方向Ｅに沿って、映像処理用の第２の電気基板６１が設けられている。尚、第２の電気基板６１の外周は、図８〜図１１に示すように、第２の電気基板６１を電気的にシールドする金属シールド部材６２によって覆われている。【００９２】
図８に示すように、第２のケース３２は、第２のケース３２の先端に設けられた金属リング５５によって第１のケース３１の延在方向の先端（以下、単に先端と称す）に固定されている。【００９３】
また、第２のケース３２内には、内視鏡コネクタ５内の他端側の半部となる前半部に設けられた各種部品を覆う金属から構成されたシールドケース５３が設けられており、シールドケース５３は、第２のケース３２内の先端において、金属リング５４によって固定されている。【００９４】
よって、金属リング５５を取り外せば、第２のケース３２は、第１のケース３１から外れ、金属リング５４を外せば、シールドケース５３は、第１のケース３１から外れるようになっている。【００９５】
尚、第１のケース３１は、内視鏡コネクタ５から外れることが無い。しかしながら、図１１においては、第１のケース３１の内部をわかりやすくするため、内視鏡コネクタ５を外して示している。【００９６】
また、第１のケース３１及び第２のケース３２内に設けられた第２の電気基板６１において、第２の電気基板６１の上面の後端６１ｋ側には、第１のケース３１内の後端内において、信号ケーブル５９の他端５９ｂｃが電気的に接続自在な電気コネクタ６０ａが設けられている。【００９７】
また、第２の電気基板６１において、上面の先端６１ｓ側には、撮像素子１０（図１参照）から延出された撮像ケーブル６３の延出端のコネクタ（不図示）が電気的に接続される電気コネクタ６０ｂが設けられている。【００９８】
尚、電気コネクタ６０ａ、６０ｂが、第２の電気基板６１の上面において、延在方向Ｅにおいて、先端６１ｓと後端６１ｋとに離れて位置しているのは、第２の電気基板６１の回路設計上、回路設計に用いる基板の表面積を大きく使用したいため、即ち、信号を先端６１ｓから入れて後端６１ｋから出したいためである。【００９９】
尚、信号ケーブル５９の一端５９ａｃが第１の電気基板５６に電気的に接続され、他端５９ｂｃが第２の電気基板６１に電気的に接続されることにより、第１の電気基板５６と第２の電気基板６１とは、信号ケーブル５９を介して電気的に接続される。【０１００】
第２の電気基板６１は、図９、図１０に示すように、第１のケース３１から第２のケース３２が脱却された状態において、第１のケース３１の先端から一部が第１のケース３１内に嵌入されて位置している。【０１０１】
具体的には、図９に示すように、第１のケース３１外において、第２の電気基板６１の外周に金属シールド部材６２が被覆された状態において、第２の電気基板６１の先端６１ｓが延在方向Ｅの後方（以下、単に後方と称す）を指向するとともに第２の電気基板６１の後端６１ｋが前方を指向した状態で、金属シールド部材６２から露出された電気コネクタ６０ａに信号ケーブル５９の他端５９ｂｃが電気的に接続され、その後、後端６１ｋが後方を指向するとともに先端６１ｓが前方を指向する向きに第２の電気基板６１を１８０°回転させた後、図１０に示すように、第２の電気基板６１の延在方向Ｅにおける一端側の半部である後半部は、第１のケース３１内に、第１のケース３１の先端から嵌入されて位置している。【０１０２】
尚、第１のケース３１内に第２の電気基板６１が嵌入された後に、第１のケース３１の前方において、第１のケース３１外に位置する前半部の電気コネクタ６０ｂには、撮像ケーブル６３のコネクタ６３ｃが電気的に接続される。【０１０３】
このように、電気コネクタ６０ｂは、第１のケース３１外に位置していることから、撮像ケーブル６３のコネクタ６３ｃが電気的に接続しやすくなっている。【０１０４】
第１の電気基板５６と第２の電気基板６１とを電気的に接続する信号ケーブル５９は、図１１に示すように、少なくとも第１のケース３１内において、第２の電気基板６１及び金属シールド部材６２の延在方向Ｅに沿った第１の延在部位５９ａ及び第２の延在部位５９ｂと、第１の延在部位５９ａから第２の延在部位５９ｂへと先端において１８０°折り返す折り返し部５９ｒとを有して主要部が構成されている。尚、第２の延在部位５９ｂは、第１の延在部位５９ａよりも前方に位置している。【０１０５】
即ち、信号ケーブル５９は、所定の長さを有し、一端５９ａｃから第１の延在部位５９ａが前方に延出され、第１の延在部位５９ａの先端に位置する折り返し部５９ｒによって折り返され、折り返し部５９ｒから第２の延在部位５９ｂが後方に延出され、第２の延在部位５９ｂの延出端に設けられた他端５９ｂｃが、第２の電気基板６１の電気コネクタ６０ａに電気的に接続された構成となっている。【０１０６】
尚、信号ケーブル５９が第１の延在部位５９ａ、第２の延在部位５９ｂ、折り返し部５９ｒを有して所定の長さに形成されているのは、上述したように、第２の電気基板６１は、後端６１ｋが前方を指向した状態で電気コネクタ６０ａに信号ケーブル５９の他端５９ｂｃが電気的に接続され、その後１８０°回転された後に第１のケース３１内に後半部が嵌入されるため、信号ケーブル５９が所定の長さを有していないと、第１のケース３１外において、電気コネクタ６０ａに対する他端５９ｂｃの電気的な接続ができないためである。【０１０７】
言い換えれば、配置後、電気コネクタ６０ａは、第１のケース３１の後端内に位置することから、第１のケース３１内において、電気コネクタ６０ａに対して他端５９ｂｃを電気的に接続する作業が、非常に困難なためである。【０１０８】
また、図８、図１０に示すように、折り返し部５９ｒは、第２のケース３２内に位置している。即ち、第１のケース３１から第２のケース３２を脱却した際、折り返し部５９ｒは、第１のケース３１の前方において第１のケース３１外に露出して位置する。【０１０９】
これは、上述したように、第２の電気基板６１は、電気コネクタ６０ａに信号ケーブル５９の他端５９ｂｃを電気的に接続した後、１８０°回転させて、第１のケース３１内に後端６１ｋ側から嵌入させていくことにより、図１０、図１１に示すように、第１の延在部位５９ａ、第２の延在部位５９ｂは、その殆どが第１のケース３１内に位置する。即ち、作業者によって見えない位置に収納されている。【０１１０】
よって、作業者は、設計とおりに第１のケース３１内に第１の延在部位５９ａ、第２の延在部位５９ｂが延在方向Ｅに沿って安定した形状に位置しているか否かを確認することが困難である。【０１１１】
ところが、図１０に示すように、折り返し部５９ｒが、第１のケース３１外に位置していれば、作業者は、第１のケース３１の先端からの延在方向における折り返し部５９ｒの離間距離により、設計とおりに第１のケース３１内に第１の延在部位５９ａ、第２の延在部位５９ｂが延在方向Ｅに沿って安定した形状で位置しているかを容易に視認することができる。【０１１２】
具体的には、作業者は、目視により折り返し部５９ｒが第１のケース３１の先端から前方に所定の長さ飛び出していれば正常であると判断でき、目視により折り返し部５９ｒの飛び出し距離が少ない、または飛び出していない場合には、第１のケース３１内への第２の電気基板６１の嵌入作業により、第１のケース３１内に第１の延在部位５９ａ、第２の延在部位５９ｂが捻れて位置している、即ち正常でないと判断することができる。【０１１３】
尚、第１のケース３１内において、第２の延在部位５９ｂの収納状態を安定させる構成としては、図１１に示すように、保持部材６４を用いる構成も考えられる。【０１１４】
具体的には、図８、図９、図１１に示すように、金属シールド部材６２の上面は、該上面に設けられたネジ穴６２ｈ（図９参照）にネジ７３が螺合されることにより、板状の保持部材６４が固定されている。尚、保持部材６４は、電気コネクタ６０ａへの信号ケーブル５９の他端５９ｂｃの接続部を覆っている。【０１１５】
よって、保持部材６４の金属シールド部材６２の上面への固定は、第１のケース３１外において、第２の電気基板６１の電気コネクタ６０ａに信号ケーブル５９の他端５９ｂｃが電気的に接続された後に行われる。【０１１６】
また、図８、図１１に示すように、保持部材６４は、第１のケース３１内において、第２の延在部位５９ｂの延在方向Ｅに沿った形状を維持して保持するクリップ部６４ｃを有している。【０１１７】
クリップ部６４ｃは、第２の延在部位５９ｂの他端５９ｂｃ付近の外周を被覆するとともに、保持部材６４の一部とともに、ネジ穴６２ｈにネジ７３によって固定されている。【０１１８】
このことによれば、第１のケース３１の先端の内周面と第２の延在部位５９ｂとの間隔を確実に確保することができることから、第２の延在部位５９ｂの第１のケース３１の先端の内周面への接触を避けることができる。【０１１９】
このため、第１のケース３１内への第２の電気基板６１の嵌入作業により、第１のケース３１内において、第２の延在部位５９ｂが捻れて位置してしまうことが無いことから、第１のケース３１内における第２の延在部位５９ｂの形状を安定化させることができる。【０１２０】
即ち、第２の延在部位５９ｂの走行方向をクリップ部６４ｃによって規制することにより、第２の延在部位５９ｂを延在方向Ｅに沿った形状に維持することができるため、第２の延在部位５９ｂの破断を防止することができる。【０１２１】
また、第１の延在部位５９ａは、第２の延在部位５９ｂ及び折り返し部５９ｒよりも硬く形成されている。【０１２２】
具体的には、第１の延在部位５９ａは、外周に保護テープが被覆される、芯金を入れる、樹脂の硬さを他の部位よりも硬くする、金属パイプによって構成する等により、硬く屈曲し難いよう形成されている。尚、第１の延在部位５９ａを硬くする構成はこれらに限定されない。【０１２３】
これは、上述したように、第１のケース３１の前方に位置する第２の電気基板６１の後端６１ｋの電気コネクタ６０ａに信号ケーブル５９の他端５９ｂｃを電気的に接続した後、１８０°回転させて第１のケース３１の先端から、第２の電気基板６１を後端６１ｋ側から第１のケース３１内に嵌入していく際、第１の延在部位５９ａが潰れる、または座屈してしまうことを防ぐためである。【０１２４】
ここで、信号ケーブル５９を全長にわたって硬くしてしまうと、第２の延在部位５９ｂ及び折り返し部５９ｒは、屈曲し難くなってしまう。このことから、第２の延在部位５９ｂ、折り返し部５９ｒは、第１の延在部位５９ａとは反対に、第１のケース３１の前方に位置する第２の電気基板６１の後端６１ｋの電気コネクタ６０ａに信号ケーブル５９の他端５９ｂｃを電気的に接続した後、１８０°回転させて第１のケース３１の先端から、第２の電気基板６１を後端６１ｋ側から第１のケース３１内に嵌入していく際において移動する部位となっているため、出来るだけ柔らかく形成されていることが好ましい。【０１２５】
このことによれば、第２の電気基板６１を第１のケース３１内に収納する際、第１の延在部位５９ａ、第２の延在部位５９ｂの形状を安定させることができるとともに、信号ケーブル５９の破断を防止することができる。【０１２６】
図８に戻って、第１のケース３１の後端内に対し、延在方向Ｅにおける第１の電気基板５６と第２の電気基板６１との間の位置において、第１のケース３１の径方向に沿って板状部材５１が固定されている。【０１２７】
図１２に示すように、板状部材５１に、嵌入部３３において一端５９ａｃが電気コネクタ５８に電気的に接続された第１の延在部位５９ａを第１のケース３１内に進入させる切り欠き５１ｋが、延在方向Ｅに沿って板状部材５１を貫通するよう形成されているとともに、切り欠き５１ｋからの第１の延在部位５９ａの抜けを防止する板状部材５１の一部を折り返した抜け止め５１ｎが形成されている。【０１２８】
切り欠き５１ｋは、信号ケーブル５９における第１の延在部位５９ａの延在方向Ｅに沿った形状を維持するとともに延在方向Ｅ及び径方向における第１の延在部位５９ａの位置決めを行う。【０１２９】
このような構成によれば、第１のケース３１の前方に位置する第２の電気基板６１の後端６１ｋの電気コネクタ６０ａに信号ケーブル５９の他端５９ｂｃを電気的に接続した後、１８０°回転させて第１のケース３１の先端から、第２の電気基板６１を後端６１ｋ側から第１のケース３１内に嵌入していく際、第１の延在部位５９ａが、図１１に示す保持部材６４上方の領域Ｑに折れ曲がって収納されてしまい、第１の延在部位５９ａが破断してしまう可能性があったが、切り欠き５１ｋにより、第１の延在部位５９ａが領域Ｑに折れ曲がってしまうことなく、図１１の実線に示すように延在方向Ｅに沿った形状に安定して維持することができる。【０１３０】
以上から、第１の延在部位５９ａが硬く形成され、第２の延在部位５９ｂ及び折り返し部５９ｒが柔らかく形成されていることや、保持部材６４のクリップ部６４ｃ、板状部材５１の切り欠き５１ｋにより、作業者によって見えない第１のケース３１内において、第１の延在部位５９ａ、第２の延在部位５９ｂを、第２の電気基板６１を嵌入するだけで安定した形状に配置することができる。【０１３１】
また、折り返し部５９ｒが第１のケース３１から露出していることにより、作業者は、第１のケース３１内において、第１の延在部位５９ａ、第２の延在部位５９ｂが安定した形状に配置されていることを容易に視認することができる。【０１３２】
また、第２の電気基板６１の電気コネクタ６０ｂへの撮像ケーブル６３のコネクタ６３ｃの接続は、第１のコネクタ３１の先端から露出した状態で行われるため、容易に電気コネクタ６０ｂにコネクタ６３ｃを接続することができる。【０１３３】
以上から、簡単に撮像ケーブル６３を第２の電気基板６１に接続することができるとともに、第２の電気基板６１と第１の電気基板５６とを電気的に接続する信号ケーブル５９の形状を安定して内視鏡コネクタ５内に収納することができる構成を具備する内視鏡を提供することができる。【０１３４】
［付記］
以上詳述した如く、本発明の実施形態によれば、以下の如き構成を得ることができる。即ち、
（６）  フレキシブル基板と、
前記フレキシブル基板の少なくとも一部に対し前記フレキシブル基板に一体的に設けられた、補強板により凸状を有するとともに非配線領域となる凸部と、
を具備し、
前記凸部が前記フレキシブル基板とは異なる他の電気基板に当接することにより、前記他の電気基板に対して前記フレキシブル基板は位置決めされるとともに、絶縁性が確保されることを特徴とする内視鏡。【０１３５】
ところで、フレキシブル基板（以下、ＦＰＣと称す）と他の電気基板とが近接されて配置されている場合において、ＦＰＣは、ネジ等によって配置位置を固定することが難しいことから配置後移動しやすい。このため、他の電気基板の少なくとも一部の回路に対するＦＰＣの少なくとも一部の回路の電気絶縁性を確保するためには、ＦＰＣの外周に絶縁性テープを巻き付けたり、絶縁性の熱収縮チューブをＦＰＣの外周に被覆したりするか、ＦＰＣと他の電気基板との間に、ＦＰＣの少なくとも一部の回路及び他の電気基板の少なくとも一部の回路とは導通回路が異なる部材や絶縁部材等のスペーサを設ける必要があった。【０１３６】
しかしながらこの構成では、製造工程において、ＦＰＣと他の電気基板との間に対し、スペーサの組み付け忘れが発生する可能性がある他、絶縁性テープを巻き付けたり熱収縮チューブを被覆させたりしなければならず作業性が悪いといった問題があった。【０１３７】
本付記の目的は上記問題点に鑑みてなされたものであり、簡単な構成にて、容易にフレキシブル基板と他の電気基板とを絶縁性を確保して近接して配置させることのできる構成を具備する内視鏡を提供することにある。【０１３８】
以下、具体的な構成を、図８、図１３、図１４を用いて説明する。図１３は、図８の接点ピンの外周に被覆されるＦＰＣを展開して示す平面図、図１４は、図１３のＦＰＣの凸部を図８の第１の電気基板に当接させた状態を示す斜視図である。【０１３９】
図１３に示すように、平面状に展開した状態において鉤状に形成されたＦＰＣ８０は、図８に示す接点ピン５７の外周に、図１４に示すように横行部８０ｍが円弧状に被覆されて位置しており、図８に示すように、一部の回路が電気基板５２、該電気基板５２に半田付けされた接点ピン５７を介して電気接点４０、４１（図８では電気接点４１は不図示）に電気的に接続されている。【０１４０】
接点ピン５７の外周にＦＰＣ８０の横行部８０ｍが被覆された際、横行部８０ｍよりも前方には、延在方向Ｅに直交する方向に沿って、ＦＰＣ８０とは異なる他の第１の電気基板５６が設けられている。また、第１の電気基板５６も該電気基板５２に半田付けされた接点ピン５７を介して、一部の回路が電気接点４０、４１（図８では電気接点４１は不図示）に電気的に接続されているとともに、第１の電気基板５６よりも後方に位置する電気基板５２（図８参照）に、図示しないコネクタを介して電気的に接続されている。【０１４１】
ここで、ＦＰＣ８０における上述した一部の回路を、延在方向Ｅに沿って隣接する第１の電気基板５６における一部の回路とは異なる他の回路に対して絶縁させるため、図１３、図１４に示すように、ＦＰＣ８０の横行部８０ｍの少なくとも一部には、補強板により凸状を有するとともに、非配線領域となる凸部８０ｔが、横行部８０ｍと同じ外装樹脂により一体的に形成されており、図１４に示すように、凸部８０ｔが第１の電気基板５６に当接している。尚、凸部８０ｔは、横行部８０ｍ全てに形成されていても構わない。【０１４２】
この凸部８０ｔの第１の電気基板５６への当接により、図１４に示すように、延在方向Ｅにおいて、横行部８０ｍの全周と第１の電気基板５６との間には距離Ｇが確保されるとともに、延在方向Ｅにおいて、第１の電気基板５６に対して横行部８０ｍが位置決めされる。【０１４３】
このことによれば、第１の電気基板５６への凸部８０ｔの当接により、延在方向Ｅにおける横行部８０ｍの移動が規制され、即ち、延在方向Ｅにおいて第１の電気基板５６に対して横行部８０ｍが位置決めされ、第１の電気基板５６と横行部８０ｍとの間に距離Ｇを確保することができる。よって、ＦＰＣ８０の横行部８０ｍにおける一部の回路に対して絶縁対象となる第１の電気基板５６の他の回路に、横行部８０ｍの一部の回路が接触してしまうことを防ぐことができる。【０１４４】
尚、凸部８０ｔは、非廃線領域となるよう形成されていることから、凸部８０ｔが第１の電気基板５６に当接したとしても横行部８０ｍの一部の回路が、第１の電気基板５６の絶縁対象となる他の回路と導通してしまうことはない。【０１４５】
よって、従来のように、横行部８０ｍと第１の電気基板５６との間にスペーサを組み付ける必要が無くなることから、スペーサの組み付け忘れの発生を防ぐことができる。【０１４６】
また、凸部８０ｔは、横行部８０ｍに一体的に形成されていることから、横行部８０ｍを、接点ピン５７の外周に被覆すれば、横行部８０ｍの一部の回路と第１の電気基板５６の絶縁対象となる他の回路とは絶縁されるため、ＦＰＣ８０の組立性を損なうことが無い。【０１４７】
以上から、簡単な構成にて、容易にＦＰＣ８０と他の電気基板５６とを絶縁性を確保して近接して配置させることのできる構成を具備する内視鏡を提供することができる。【０１４８】
尚、ＦＰＣ８０とは異なる他の電気基板として、電気基板５６を例に挙げて示したが、他の基板は、リジットな基板に限らず、ＦＰＣであっても構わないことは勿論である。【０１４９】
本出願は、２０１２年１月３１日に日本国に出願された特願２０１２−０１８７８４号を優先権主張の基礎として出願するものであり、上記の内容は、本願明細書、請求の範囲、図面に引用されたものである。
【図１】
2013114661.tif 000003
【図２】
2013114661.tif 000004
【図３】
2013114661.tif 000005
【図４】
2013114661.tif 000006
【図５】
2013114661.tif 000007
【図６】
2013114661.tif 000008
【図７】
2013114661.tif 000009
【図８】
2013114661.tif 000010
【図９】
2013114661.tif 000011
【図１０】
2013114661.tif 000012
【図１１】
2013114661.tif 000013
【図１２】
2013114661.tif 000014
【図１３】
2013114661.tif 000015
【図１４】
2013114661.tif 000016
【手続補正書】
【提出日】平成25年3月28日(2013.3.28)
【手続補正１】
【補正対象書類名】明細書
【補正対象項目名】００１８
【補正方法】変更
【補正の内容】
【００１８】
本発明の一態様による内視鏡は、被検体内に挿入される挿入部と、該挿入部の挿入方向の後端に接続された操作部とを具備する内視鏡であって、前記挿入部の前記挿入方向における先端側内に設けられた前記被検体内を撮像する撮像素子から前記操作部内まで延出された信号ケーブルと、前記操作部内に固定された、金属から構成された板状部材と、前記板状部材に固定された、前記信号ケーブルの延出端が電気的に接続された電気基板と、前記信号ケーブルにおいて前記操作部内に位置する、Ｕ字状の折り返し部を複数有するとともにループ状に変形された余剰部が、前記挿入方向前方及び後方の開口を貫通して内部に挿通された状態において、前記余剰部が前記挿入方向の前後に移動自在となるよう前記板状部材に対して前記信号ケーブルを近接させて固定する、一部に前記板状部材への固定部が形成された固定部材と、を具備し、前記固定部材は、前記板状部材に当接するとともに前記固定部を有する底面と、前記底面に対向するとともに該底面側に前記余剰部を押し付ける天面と、前記底面と前記天面とを繋ぐ側面と、前記側面に対向する位置に開口された、内部への前記信号ケーブルの前記余剰部の嵌入口と、が形成されたコの字状に形成されており、前記嵌入口付近の前記底面に、内部に嵌入された前記余剰部の抜け止めが形成され、前記底面と天面との距離は、前記信号ケーブルの前記余剰部における径より大きくかつ前記信号ケーブルの直径の２倍より小さく設定されており、前記余剰部が前記固定部材の底面と天面との間に収納される際に、前記余剰部が前記側面の高さ方向に非重畳となるよう構成されている。
【手続補正２】
【補正対象書類名】特許請求の範囲
【補正対象項目名】全文
【補正方法】変更
【補正の内容】
【特許請求の範囲】
【請求項１】
被検体内に挿入される挿入部と、該挿入部の挿入方向の後端に接続された操作部とを具備する内視鏡であって、
前記挿入部の前記挿入方向における先端側内に設けられた前記被検体内を撮像する撮像素子から前記操作部内まで延出された信号ケーブルと、
前記操作部内に固定された、金属から構成された板状部材と、
前記板状部材に固定された、前記信号ケーブルの延出端が電気的に接続された電気基板と、
前記信号ケーブルにおいて前記操作部内に位置する、Ｕ字状の折り返し部を複数有するとともにループ状に変形された余剰部が、前記挿入方向前方及び後方の開口を貫通して内部に挿通された状態において、前記余剰部が前記挿入方向の前後に移動自在となるよう前記板状部材に対して前記信号ケーブルを近接させて固定する、一部に前記板状部材への固定部が形成された固定部材と、
を具備し、
前記固定部材は、
前記板状部材に当接するとともに前記固定部を有する底面と、
前記底面に対向するとともに該底面側に前記余剰部を押し付ける天面と、
前記底面と前記天面とを繋ぐ側面と、
前記側面に対向する位置に開口された、内部への前記信号ケーブルの前記余剰部の嵌入口と、
が形成されたコの字状に形成されており、前記嵌入口付近の前記底面に、内部に嵌入された前記余剰部の抜け止めが形成され、前記底面と天面との距離は、前記信号ケーブルの前記余剰部における径より大きくかつ前記信号ケーブルの直径の２倍より小さく設定されており、
前記余剰部が前記固定部材の底面と天面との間に収納される際に、前記余剰部が前記側面の高さ方向に非重畳となるよう構成されていることを特徴とする内視鏡。
【請求項２】
前記抜け止めは、前記天面側に凸状を有する板バネから構成されていることを特徴とする請求項１に記載の内視鏡。
【請求項３】
前記固定部は、前記底面の前記挿入方向の後端に設けられており、
前記底面における前記固定部の１点により、前記固定部材は前記板状部材に固定されていることを特徴とする請求項１に記載の内視鏡。
【請求項４】
前記操作部から延出する、延出端に外部装置へ接続されるコネクタが形成されたユニバーサルコードをさらに具備し、
前記操作部内の前記電気基板から、前記ユニバーサルコードを介して前記コネクタまで延出されるとともに前記信号ケーブルを介して前記電気基板まで伝送された前記撮像素子からの信号を前記コネクタまで伝送する、前記信号ケーブルとは異なる他の信号ケーブルを有していることを特徴とする請求項１に記載の内視鏡。
【手続補正書】
【提出日】平成25年7月16日(2013.7.16)
【手続補正１】
【補正対象書類名】明細書
【補正対象項目名】００１８
【補正方法】変更
【補正の内容】
【００１８】
本発明の一態様による内視鏡は、被検体内に挿入される挿入部と、該挿入部の挿入方向の後端に接続された操作部とを具備する内視鏡であって、前記挿入部の前記挿入方向における先端側内に設けられた前記被検体内を撮像する撮像素子から前記操作部内まで延出された信号ケーブルと、前記操作部内に固定された、金属から構成された板状部材と、前記板状部材に固定された、前記信号ケーブルの延出端が電気的に接続された電気基板と、前記信号ケーブルにおいて前記操作部内に位置する、Ｕ字状の折り返し部を複数有したループ状に変形された余剰部が、前記挿入方向前方及び後方の開口を貫通して内部に挿通された状態において、前記余剰部が前記挿入方向の前後に移動自在となるよう前記板状部材に対して前記信号ケーブルを近接させて固定する、一部に前記板状部材への固定部が形成された固定部材と、を具備し、前記固定部材は、前記板状部材に当接するとともに前記固定部を有する底面と、前記底面に対向するとともに該底面側に前記余剰部を押し付ける天面と、前記底面と前記天面とを繋ぐ側面と、前記側面に対向する位置に開口された、内部への前記信号ケーブルの前記余剰部の嵌入口と、が形成されたコの字状に形成されており、前記嵌入口付近の前記底面に、内部に嵌入された前記余剰部の抜け止めが形成され、前記底面と天面との距離は、前記信号ケーブルの前記余剰部における径より若干大きく設定されており、前記余剰部が前記固定部材の底面と天面との間に収納される際に、該余剰部が前記側面の高さ方向に重なって配置されないように構成されている。
【手続補正２】
【補正対象書類名】特許請求の範囲
【補正対象項目名】全文
【補正方法】変更
【補正の内容】
【特許請求の範囲】
【請求項１】
被検体内に挿入される挿入部と、該挿入部の挿入方向の後端に接続された操作部とを具備する内視鏡であって、
前記挿入部の前記挿入方向における先端側内に設けられた前記被検体内を撮像する撮像素子から前記操作部内まで延出された信号ケーブルと、
前記操作部内に固定された、金属から構成された板状部材と、
前記板状部材に固定された、前記信号ケーブルの延出端が電気的に接続された電気基板と、
前記信号ケーブルにおいて前記操作部内に位置する、Ｕ字状の折り返し部を複数有したループ状に変形された余剰部が、前記挿入方向前方及び後方の開口を貫通して内部に挿通された状態において、前記余剰部が前記挿入方向の前後に移動自在となるよう前記板状部材に対して前記信号ケーブルを近接させて固定する、一部に前記板状部材への固定部が形成された固定部材と、
を具備し、
前記固定部材は、
前記板状部材に当接するとともに前記固定部を有する底面と、
前記底面に対向するとともに該底面側に前記余剰部を押し付ける天面と、
前記底面と前記天面とを繋ぐ側面と、
前記側面に対向する位置に開口された、内部への前記信号ケーブルの前記余剰部の嵌入口と、
が形成されたコの字状に形成されており、前記嵌入口付近の前記底面に、内部に嵌入された前記余剰部の抜け止めが形成され、前記底面と天面との距離は、前記信号ケーブルの前記余剰部における径より若干大きく設定されており、
前記余剰部が前記固定部材の底面と天面との間に収納される際に、該余剰部が前記側面の高さ方向に重なって配置されないように構成されていることを特徴とする内視鏡。
【請求項２】
前記抜け止めは、前記天面側に凸状を有する板バネから構成されていることを特徴とする請求項１に記載の内視鏡。
【請求項３】
前記固定部は、前記底面の前記挿入方向の後端に設けられており、
前記底面における前記固定部の１点により、前記固定部材は前記板状部材に固定されていることを特徴とする請求項１または２に記載の内視鏡。
【請求項４】
前記操作部から延出する、延出端に外部装置へ接続されるコネクタが形成されたユニバーサルコードをさらに具備し、
前記操作部内の前記電気基板から、前記ユニバーサルコードを介して前記コネクタまで延出されるとともに前記信号ケーブルを介して前記電気基板まで伝送された前記撮像素子からの信号を前記コネクタまで伝送する、前記信号ケーブルとは異なる他の信号ケーブルを有していることを特徴とする請求項１〜３のいずれか１項に記載の内視鏡。
【国際調査報告】
2013114661.tif 000017
2013114661.tif 000018
2013114661.tif 000019
2013114661.tif 000020